(57)【要約】【課題】筐体を大きくすることなくノズルから散布される水を有効に活用できる空調機用散水装置を提供する。【解決手段】室外熱交換器１は、２つの側面部Ｂと中央部ＡからなるＵ字状または１つの側面部Ｂと中央部ＡからなるＬ字状をなし、散水装置６は、全方向に略等しく広がる放射角度を有し、室外熱交換器の前記中央部に水を散布する充円錐ノズル７ａと、 一方向に広がる放射角度を有し、側面部Ｂに水を散布する扇形ノズル７ｂと、を備え、充円錐ノズル７ａを、室外熱交換器１の中央部Ａに対向して配設し、扇形ノズル７ｂを、室外熱交換器１の側面部Ｂに沿った位置近傍に配設し、側面部Ｂに水を散布可能となるように、扇形ノズル７ｂの放射角度が広がる方向の面を側面部Ｂに対して０〜３０°傾けた。【選択図】図１
2009287880.tif 000002
【特許請求の範囲】
【請求項１】
室外熱交換器に水を散布するノズルとこのノズルに水を供給する水配管とを有する散水装置を備えた空調機用散水装置において、
前記室外熱交換器は、２つの側面部と中央部からなるＵ字状または１つの側面部と中央部からなるＬ字状をなし、
前記ノズルは、前記室外熱交換器の前記中央部に水を散布する第１のノズルと、
前記側面部に水を散布する第２のノズルと、
を備え、前記第１のノズルと前記第２のノズルの種類が異なることを特徴とする空調機用散水装置。
【請求項２】
前記第１のノズルは、全方向に略等しく広がる放射角度を有し、前記第２のノズルは、  一方向に広がる放射角度を有することを特徴とする請求項１記載の空調機用散水装置。
【請求項３】
前記第１のノズルを、前記室外熱交換器の中央部に対向して配設し、
前記第２のノズルを、前記室外熱交換器の側面部に沿った位置近傍に配設し、前記側面部に水を散布可能となるように、前記第２のノズルの前記放射角度が広がる方向の面を前記側面部に対して所定の角度に傾けたことを特徴とする請求項２記載の空調機用散水装置。
【請求項４】
前記第１、第２のノズルを、少なくとも前記中央部及び前記側面部の各々上部に水を散布可能となるように配設したことを特徴とする請求項２または３記載の空調機用散水装置。
【請求項５】
前記第１のノズルは複数個、前記第２のノズルは少なくとも１個をなくとも一列備えたことを特徴とする請求項２〜４のいずれかに記載の空調機用散水装置。
【請求項６】
前記第１のノズルを充円錐ノズルもしくは充角錐ノズルとし、
前記第２のノズルを扇形ノズルとしたことを特徴とする請求項２〜５のいずれかに記載の空調機用散水装置。
【請求項７】
室外熱交換器に水を散布するノズルとこのノズルに水を供給する水配管とを有する散水装置を備えた空調機用散水装置において、
前記室外熱交換器は、２つの側面部と中央部からなるＵ字状または１つの側面部と中央部からなるＬ字状をなし、
前記ノズルは、一方向に広がる放射角度を有し、前記室外熱交換器の中央部及び前記側面部に各々水を散布する細長口ノズルを備え、
前記細長口ノズルを、前記中央部及び前記側面部の各々の水が散布される散布領域の下方に各々配設し、前記上方の散布領域に各々水を散布可能となるように、前記細長口ノズルの前記放射角度が広がる方向の面を上方の前記散布領域に対して所定の角度に傾けたことを特徴とする空調機用散水装置。
【請求項８】
前記細長口ノズルを、少なくとも前記中央部及び前記側面部の各々上部に水を散布可能となるように配設したことを特徴とする請求項７記載の空調機用散水装置。
【請求項９】
前記細長口ノズルは少なくとも１個を各々少なくとも一列備えたことを特徴とする請求項７または８記載の空調機用散水装置。
【請求項１０】
前記細長口ノズルを扇形ノズルとしたことを特徴とする請求項７〜９のいずれかに記載の空調機用散水装置。
【発明の詳細な説明】
【技術分野】
【０００１】
本発明は、空調機を冷房装置として用いる時の、室外熱交換器に水を散布する散水装置を備えた空調機用散水装置に関するものである。
【背景技術】
【０００２】
従来の室外熱交換器への散水装置は、屈曲した熱交換器の屈曲部に対向して取付板を設け、この取付板にノズルを取付けて屈曲部の両側の面に水を角錐状に散布している（例えば、特許文献１参照）。
【０００３】
また、従来の室外熱交換器への散水装置は、熱交換器の内側の面に円錐状に水を散布している（例えば、特許文献２参照）。
【０００４】
【特許文献１】特開２０００−４６４４２号公報（段落００１４〜００１６、図１、２）
【特許文献２】特開２００７−１８７３４４号公報（段落００１３〜００１５、図１  ）
【発明の開示】
【発明が解決しようとする課題】
【０００５】
特許文献１に示した従来の室外熱交換器への散水装置は、屈曲部の両側の面に水を散布できるが、ノズルを室外熱交換器の屈曲部の外部まで張り出させて斜め下方に散布しているので、室外機の筐体が大きくなり、また散布される水も散水周縁では熱交換器に有効に当たらないという問題があった。
【０００６】
また、特許文献２に示した従来の室外熱交換器への散水装置は、熱交換器の内側の面に円錐状に水を散布しているので外部に散布した水が漏れないが、散布領域の周縁部では水が少なくなる場合がある。
また、一般に、Ｕ字に曲げられた熱交換器の外側の面に散布する場合は、熱交換器の中央部に対向して設けられたノズルから散布された水は、円錐状に広がり熱交換器の中央部を効率的に濡らすものの、側面部を濡らすために端部に設置されたノズルから散布された水は、円錐状に広がるため、無駄になる水が生じ、側面部を有効に濡らすことができないという問題があった。    
【０００７】
この発明は、上記の課題を解決するためになされたものであり、筐体を大きくすることなくノズルから散布される水を有効に活用できる空調機用散水装置を提供するものである。
【課題を解決するための手段】
【０００８】
この発明に係る空調機用散水装置は、室外熱交換器に水を散布するノズルとこのノズルに水を供給する水配管とを有する散水装置を備えた空調機用散水装置において、前記室外熱交換器は、２つの側面部と中央部からなるＵ字状または１つの側面部と中央部からなるＬ字状をなし、前記ノズルは、前記室外熱交換器の前記中央部に水を散布する第１のノズルと、前記側面部に水を散布する第２のノズルと、を備え、前記第１のノズルと前記第２のノズルの種類が異なるものである。
【発明の効果】
【０００９】
この発明によれば、２つの側面部と中央部からなるＵ字状または１つの側面部と中央部からなるＬ字状をなし、前記ノズルは、前記室外熱交換器の前記中央部に水を散布する第１のノズルと、前記側面部に水を散布する第２のノズルと、を備え、前記第１のノズルと前記第２のノズルの種類が異なるので、筐体を大きくすることなく、室外熱交換器の中央部や側面部に対してノズルから散布される水が有効に散布され、水の損失がなく空調機も効率のよい運転をすることができる。
【発明を実施するための最良の形態】
【００１０】
以下、本発明の実施の形態について図面を参照して詳しく説明する。なお、図中同一符号は同一または相当部分を示し説明を省略する。
【００１１】
実施の形態１．
図１は、この発明の実施の形態１による空調機用散水装置の概略構成及び水の散布状態を示す平面図であり、図１（ａ）はこの発明の実施の形態１による空調機用散水装置、図１（ｂ）は従来の空調機用散水装置を示す。図１において、空調機の室外機は、筐体９内に、冷媒の流れる伝熱管２やフィン３から構成されるＵ字状に曲げられ、中央部Ａ、一対の側面部Ｂ、一対の屈曲部Ｃからなる室外熱交換器１、空気を吸入して室外熱交換機１を冷却し、外部へ吐出させるファン４、ファン用モータ５、及び散水装置６を収納している。散水装置６は、室外熱交換器１の中央部の背面側近傍に取り付けられ、概略構成は、室外熱交換器１の中央部Ａに水を散水する第１のノズルである、例えば、充円錐ノズル（あるいは充角錐ノズル７ｃ）７ａと、側面部Ｂの外側に水を散水する第２のノズルである扇形ノズル７ｂと、充円錐ノズル７ａ及び扇形ノズル７ｂが接続される水配管８から構成される。
【００１２】
図２は、水の散布に用いるノズルの水の散布パターンを示す図であり、図２（ａ）は  充円錐ノズル、 図２（ｂ）は 充角錐ノズル 、図２（ｃ）は 扇形ノズルの水の散布パターンである。充円錐ノズルは、水の散布パターンが円形で流量分布が均等である。散水散布される水滴は円錐状に広がり、幅広くかつ均一に散布されて熱交換器を効率よく濡らすため、一般にこのノズルを採用されている。充角錐ノズルは水の散布パターンが正方形で、流量分布が均等であり、広い面積をカバーできる。扇形ノズルは、散布パターンが一方向の広がりのある幅が狭い形状で、流量分布が中央が強く両端にかけて次第に弱まる分布である。これは標準の扇形ノズルであるが、散布パターンが細長楕円形で流量分布が均一な均等扇形ノズルが望ましく、あるいは、厚さ方向の広がりが標準より大きい空気吸引式のものでもよい。
【００１３】
次に、散水装置６の詳細構成について図１（ａ）、図３により説明する。
充円錐ノズル７ａは、室外熱交換器１の中央部Ａの背面から、例えば、約２００ｍｍ後方に室外熱交換器１の中央部Ａに対向して配設し、充円錐ノズル７ａの給水口を室外熱交換器１の中央部Ａに対向する筐体９の内側に配設された水配管８の給水口（図示せず）に取り付ける。このとき、充円錐ノズル７ａは室外熱交換器１の中央部Ａに対向し、充円錐ノズル７ａによる水の散布領域が室外熱交換器１の中央部Ａの背面の上部となるように配設している。
【００１４】
そして、充円錐ノズル７ａは横方向に複数個一列配設する。なお、各充円錐ノズル７ａの散布領域の横方向の両端が重なり合うようにし、両端の充円錐ノズル７ａの散布領域の横方向の端部が室外熱交換器１の屈曲部Ｃをカバーするようにするのが望ましい。
【００１５】
扇形ノズル７ｂは、室外熱交換器１の中央部Ａの背面から、例えば、約２００ｍｍ後方の位置で、側面部Ｂに沿った位置から側面部Ｂの外側寄りに１個配設し、扇形ノズル７ｂの給水口を水配管８の給水口に取り付ける。このとき、側面部Ｂに散布可能となるように 扇形ノズル７ｂの放射角度が広がる方向の面を側面部Ｂ方向に約５〜３０°傾ける。また、水の散布領域が室外熱交換器１の側面部Ｂの上部となるように配設している。また、充円錐ノズル７ａは複数個、扇形ノズル７ｂは少なくとも１個を各々少なくとも一列配設する。
【００１６】
上記構成において、夏期の冷房運転時に外気温度が高く冷房負荷の大きい時などには、図３に示すように、充円錐ノズル７ａにより室外熱交換器１の中央部Ａの背面の上部の領域、及び屈曲部Ｃの上部の領域に水を円錐状に散布し、扇形ノズル７ｂにより、室外熱交換器１の側面部Ｂの上部の領域及び屈曲部Ｃの上部の領域に扇形状に水を散布する。
このとき、各充円錐ノズル７ａの散布領域の横方向の両端が重なり合い、また、屈曲部Ｃでは、充円錐ノズル７ａと扇形ノズル７ｂの散布領域が重なり、室外熱交換器１の上部のほぼ全体を濡らすようにするのが望ましい。
そして、散布された水は、室外熱交換器１の中央部Ａ，側面部Ｂ，屈曲部Ｃの表面を伝わって下に流れ、中央部Ａ，側面部Ｂ，屈曲部Ｃの全体を濡らす。そして、室外熱交換器１の放熱効率を高めて、冷房能力のアップや冷房運転の効率を高める。
【００１７】
また、上記の構成では、充円錐ノズル７ａを用いた場合を示したが、充円錐ノズル７ａの代わりに充角錐ノズル７ｃを用いるとより効果的に水が散布される。図４は側面部Ｂと屈曲部Ｃの散布状態を示し、図４（ａ）は充円錐ノズル７ａの散布状態、図４（ｂ）は充角錐ノズル７ｃの散布状態を示す。このように、充円錐ノズル７ａでは、屈曲部Ｃの上部Ｃ１の一部に散布されないが、充角錐ノズル７ｃの場合は、全体に散布される。なお、充円錐ノズル７ａ及び充角錐ノズル７ｂの放射角度が９０°、扇形ノズル７ｂの放射角度が６０°の場合を示している。
【００１８】
また、図５に示すように、中央部Ａ、一つの側面部Ｂ及び一つの屈曲部Ｃから構成されるＬ字状室外熱交換器１１の場合も、図１で示したＵ字状室外熱交換器１における扇形ノズル７ｂを一つにした散布装置１２で図１の場合と同様にしてＬ字状室外熱交換器１１に水を散布することができる。
【００１９】
以上のように、室外熱交換器１は、２つの側面部Ｂと中央部ＡからなるＵ字状または１つの側面部Ｂと中央部ＡからなるＬ字状をなし、ノズルは、全方向に略等しく広がる放射角度を有し、室外熱交換器の前記中央部に水を散布する充円錐ノズル７ａと、 一方向に広がる放射角度を有し、側面部Ｂに水を散布する扇形ノズル７ｂと、を備えたので、散水運転時に、室外機の筐体９を大きくすることなく、中央部Ａ用と側面部Ｂ用とにノズルを変えたことによって、室外熱交換器１の中央部Ａや側面部Ｂに対して水が有効に散布され、室外熱交換器１全面にわたって水を損失させることなく、ノズルから散布される水を有効に活用することができ、また、空調機も効率のよい運転をすることができる。
【００２０】
また、従来は、図１（ｂ）に示すように、充円錐ノズル７ａから散布された水は、円錐状に広がり室外熱交換器１の中央部Ａを効率的に濡らすものの、側面部Ｂを濡らすために端部に設置された充円錐ノズル７ａから散布された水は、円錐状に広がるため、無駄になる水が生じ、側面部Ｂを有効に濡らすことができなかったが、本実施の形態による発明では、充円錐ノズル７ａを、室外熱交換器１の中央部Ａに対向して配設し、扇形ノズル７ｂを、室外熱交換器１の側面部Ｂに沿った位置近傍に配設し、側面部Ｂに水を散布可能となるように、扇形ノズル７ｂの放射角度が広がる方向の面を側面部Ｂに対して０〜３０°傾けたので、図１（ａ）に示すように、室外熱交換器１の中央部は充円錐ノズル７ａによって中央部Ａに均一に散布され、また、側面部Ｂに対しては、扇形ノズル７ｂによって散布される水の広がりが側面部Ｂの前面方向に水が広がらないように抑制されるため、散布された水が効率よく利用することができる。
【００２１】
また、充円錐ノズル７ａ、扇形ノズル７ｂを、少なくとも中央部Ａ及び側面部Ｂの各々上部に水を散布可能となるように配設し、また充円錐ノズル７ａは複数個、扇形ノズル７ｂは少なくとも１個を各々少なくとも一列備えたので、冷房運転状態によって、充円錐ノズル７ａや扇形ノズル７ｂの数を増やして冷却効率を高めることができる。
【００２２】
なお、図６に示すように、充円錐ノズル７ａを用いたときは、室外熱交換器１の屈曲部Ｃの散布領域が少なくなるのを補うために、扇形ノズル７ｂを、室外熱交換器１の中央部Ａの後方で側面部Ｂに沿った位置近傍に配設し、屈曲部Ｃに散布可能となるように扇形ノズル７ｂの軸心を設定して、配設してもよい。
【００２３】
また、図７に示すように、室外熱交換器１の側面部Ｂの長さが長いときは、図１に示した扇形ノズル７ｂの他に、扇形ノズル７ｂを側面部Ｂから少し離間した位置で、側面部Ｂに散布可能となるように、扇形ノズル７ｂの放射角度が広がる方向の面を側面部Ｂ方向に約５°〜３０°傾けてもよい。
【００２４】
また、充円錐ノズル７ａの数を増やして室外熱交換器１の中央部Ａと充円錐ノズル７ａの間隔を短くして、筐体９を小型にすることができる。
【００２５】
実施の形態２．
実施の形態１では、全方向に略等しく広がる放射角度を有し、室外熱交換器１の中央部Ａに水を散布する充円錐ノズル７ａまたは充角錐ノズル７ｃと、一方向に広がる放射角度を有し、側面部Ｂに水を散布する扇形ノズル７ｂと、を備えた空調機用散水装置を示したが、中央部Ａに水を散布する充円錐ノズル７ａまたは充角錐ノズル７ｃの場合は、中央部Ａと充円錐ノズル７ａまたは充角錐ノズル７ｃの間隔が大きくなり、筐体９も大きくなるので、充円錐ノズル７ａまたは充角錐ノズル７ｃに代えて、一方向に広がる放射角度を有する細長口ノズルである扇形ノズル７ｂを用いたものである。
【００２６】
図８は、この発明の実施の形態２による空調機用散水装置の概略構成及び水の散布状態を示す図であり、図８（ａ）は平面図、図８（ｂ）は側面図、図８（ｃ）は背面図である。図８において、実施の形態１の図１と符号は同じなので説明を省略するが、図１と異なるのは、図１で室外熱交換器１の中央部Ａに対向して配設された充円錐ノズル７ａまたは充角錐ノズル７ｂに代えて扇形ノズル７ｂを用いた点と、この扇形ノズル７ａ及び側面部Ｂに用いた扇形ノズル７ｂの向きを略横向きから略上向きに変えた点である。扇形ノズル７ｂは一方向に放射角度が広がるもので、横向きでは上下に広がる放射角度となり、上向きでは、横向きに放射角度が広がる。
【００２７】
室外熱交換器１の中央部Ａ及び側面部Ｂに水を散布する扇形ノズル７ｂは、中央部Ａ及び側面部Ｂから、例えば、約５０〜１００ｍｍ各々離れて配設され、扇形ノズル７ｂの給水口を下方に配設された水配管８の給水口に取り付けられている。また、扇形ノズル７ｂよる水の散布領域が室外熱交換器１の中央部Ａ及び側面部Ｂの上部となるように、扇形ノズル７ｂを、中央部Ａ及び側面部Ｂの散布領域の下方に各々配設し、扇形ノズル７ｂを、散布領域に各々水を散布可能となるように、扇形ノズル７ｂの放射角度が広がる方向の面を上方の前記散布領域に対して約５°〜３０°傾けている。
【００２８】
そして、中央部Ａに対向する扇形ノズル７ｂを横方向に複数個一列配設する。なお、各扇形ノズル７ｂの散布領域の横方向の両端が重なり合うようにし、両端の扇形ノズル７ｂの散布領域の横方向の端部が室外熱交換器１の屈曲部Ｃをカバーするようにするのが望ましい。
【００２９】
側面部Ｂに対向する扇形ノズル７ｂを少なくとも側面部Ｂの上部の散布領域に水を散布可能となるように、少なくとも１個を少なくとも一列配設している。
【００３０】
上記構成において、夏期の冷房運転時に外気温度が高く冷房負荷の大きい時などには、図８に示すように、扇形ノズル７ｂにより室外熱交換器１の中央部Ａ及び側面部Ｂの上部の領域、及び屈曲部Ｃの上部の領域に水を扇形状に散布する。
このとき、各扇形ノズル７ｂの散布領域の横方向の両端が重なり、室外熱交換器１の上部のほぼ全体を濡らす用にするのが望ましい。そして、散布された水は、室外熱交換器１の中央部Ａ，側面部Ｂ，屈曲部Ｃの表面を伝わって下に流れ、中央部Ａ，側面部Ｂ，屈曲部Ｃの全体を濡らす。そして、室外熱交換器１の放熱効率を高めて、冷房能力のアップや冷房運転の効率を高める。
【００３１】
以上のように、一方向に広がる放射角度を有し、前記室外熱交換器の中央部及び前記側面部に各々水を散布する扇形ノズル７ｂを備え、扇形ノズル７ｂを、中央部Ａ及び側面部Ｂの各々の水が散布される散布領域の下方に各々配設し、上方の散布領域に各々水を散布可能となるように、扇形ノズル７ｂの放射角度が広がる方向の面を上方の散布領域に対して０〜３０°の角度に傾けたので、室外熱交換器１の中央部Ａと扇形ノズル７ｂの間隔が小さくでき、筐体を小型化し、散布される水が有効に散布され、水の損失がなく空調機も効率のよい運転をすることができる。
また、小型化については、例えば、実施の形態１では、室外熱交換器１の中央部Ａと充円錐ノズル７ａの間隔を約２００ｍｍとしたが、本実施の形態では、間隔を約半分にすることが可能である。
【００３２】
また、扇形ノズル７ｂを、少なくとも中央部Ａ及び側面部Ｂの各々上部に水を散布可能となるように配設し、扇形ノズル７ｂは少なくとも１個を各々少なくとも一列備えたので、冷房運転状態によって、扇形ノズル７ｂの数を増やして冷却効率を高めることができる。
【００３３】
なお、本実施の形態では、側面部Ｂについて、中央部Ａと同様に、扇形ノズル７ｂを、側面部Ｂの散布領域の下方に各々配設し、上方の散布領域に向けて配設したが、実施の形態１と同様に、扇形ノズル７ｂの側面部Ｂに沿った方向を略横向きにしてもよい。
また、本実施の形態では、扇形ノズル７ｂを室外熱交換器１の外側に配設したが、室外熱交換器１の内側に水を散布するようにすることが可能である。
また、本実施の形態では、Ｕ字状またはＬ字状の室外熱交換器について示したが、Ｕ字状またはＬ字状に折り曲げた室外熱交換器でなくとも適用することができる。
【図面の簡単な説明】
【００３４】
【図１】この発明の実施の形態１による空調機用散水装置の概略構成及び水の散布状態を示す平面図である。
【図２】水の散布に用いるノズルの水の散布パターンを示す図である。
【図３】この発明の実施の形態１による空調機用散水装置の水の散布状態を示す斜視図である。
【図４】この発明の実施の形態１による空調機用散水装置の水の側面部と屈曲部の散布状態を示す図である。
【図５】この発明の実施の形態１による空調機用散水装置のＬ字状の室外熱交換器の概略構成及び水の散布状態を示す平面図である。
【図６】この発明の実施の形態１による空調機用散水装置の屈曲部の概略構成及び水の散布状態を示す平面図である。
【図７】この発明の実施の形態１による空調機用散水装置の側面部の概略構成及び水の散布状態を示す平面図である。
【図８】この発明の実施の形態２による空調機用散水装置の概略構成及び水の散布状態を示す平面図である。
【符号の説明】
【００３５】
１  室外熱交換器、６  散水装置、７  ノズル、７ａ  充円錐ノズル、７ｂ  扇形ノズル、７ｃ  充角錐ノズル、８  水配管、９  筐体、 １１  Ｌ字状室外熱交換器、１２  散布装置、Ａ  中央部、Ｂ  側面部、Ｃ  屈曲部。
【図１】
2009287880.tif 000003
【図２】
2009287880.tif 000004
【図３】
2009287880.tif 000005
【図４】
2009287880.tif 000006
【図５】
2009287880.tif 000007
【図６】
2009287880.tif 000008
【図７】
2009287880.tif 000009
【図８】
2009287880.tif 000010